(57)【要約】【課題】中継基板を簡単に着脱可能とし、交換時の配線接続作業負担を軽減する。【解決手段】遊技必須装置およびメイン制御装置が接続される遊技用中継基板４０と、遊技演出装置およびサブ制御装置が着脱可能に接続される演出用中継基板４２とを設け、両中継基板を基板設置部５４に隣接した状態で着脱可能に保持する。この基板設置部５４は、遊技用中継基板４０の右端部を挿脱可能に差込み可能な第１差込み部５９と、演出用中継基板４２の左端部を挿脱可能に差込み可能な第２差込み部６９と、両中継基板４０,４２の間に弾性変形可能に形成され、第１差込み部５９に差込んだ遊技用中継基板４０の左端部に係脱可能に係合する第１弾性フック６３と、両中継基板４０,４２の間に第１弾性フック６３と並ぶ位置に弾性変形可能に形成され、第２差込み部６９に差込んだ演出用中継基板４２の右端部に係脱可能に係合する第２弾性フック７３とを備える。【選択図】図６
2009011679.tif 000002
【特許請求の範囲】
【請求項１】
遊技領域を画成した遊技盤の前面には、普通図柄表示装置、特別図柄表示装置、入賞装置を含む遊技必須装置と、発光演出用の発光装置および演出可動装置の内の少なくとも何れか一方を含む遊技演出装置とが配設され、前記遊技盤の裏面には、前記入賞装置に入賞した遊技球を排出する排出通路を形成した裏樋部材が配設されると共に、機裏側には、前記遊技必須装置を電気的に接続するメイン制御装置と前記遊技演出装置を電気的に接続するサブ制御装置とが配設された遊技機において、
前記遊技必須装置に接続した配線のコネクタおよび前記メイン制御装置に接続した配線のコネクタの夫々が着脱可能に接続される遊技用中継基板と、
前記遊技演出装置に接続した配線のコネクタおよび前記サブ制御装置に接続した配線のコネクタの夫々が着脱可能に接続される演出用中継基板と、
前記裏樋部材に形成され、前記遊技用中継基板および演出用中継基板を隣接した状態で着脱可能に保持する基板設置部とを備えると共に、
前記基板設置部は、
前記遊技用中継基板における前記演出用中継基板から離間する外側端部を挿脱可能に差込み可能な第１差込み部と、
前記演出用中継基板における前記遊技用中継基板から離間する外側端部を挿脱可能に差込み可能な第２差込み部と、
隣接する前記遊技用中継基板および演出用中継基板の間に弾性変形可能に形成され、前記第１差込み部に差込んだ遊技用中継基板の内側端部に係脱可能に係合し、弾性変形により係合解除される第１固定部と、
隣接する前記遊技用中継基板および演出用中継基板の間に前記第１固定部と並ぶ位置に弾性変形可能に形成され、前記第２差込み部に差込んだ演出用中継基板の内側端部に係脱可能に係合し、弾性変形により係合解除される第２固定部とを設けた
ことを特徴とする遊技機。
【請求項２】
前記遊技用中継基板および演出用中継基板には係合孔が形成され、前記基板設置部には、前記遊技用中継基板および演出用中継基板の係合孔に挿入される位置決め突部が形成される請求項１記載の遊技機。
【発明の詳細な説明】
【技術分野】
【０００１】
本発明は、遊技盤に配設された遊技必須装置および遊技演出装置の夫々を、機裏側に配設された対応のメイン制御装置およびサブ制御装置に電気的に接続するよう構成された遊技機に関するものである。
【背景技術】
【０００２】
例えば、代表的な遊技機の一例であるパチンコ機は、機内にセットされる遊技盤に画成した遊技領域の略中央位置に枠状の装飾部材(所謂センター役物)が配設されており、この装飾部材の内側に複数の図柄を変動表示して図柄変動ゲームを行なう図柄表示装置を設けると共に、該遊技盤における装飾部材の下方位置に、パチンコ球(遊技球)の入賞が図柄表示装置での変動開始条件となる始動入賞装置を配設するよう構成したものが多数提案されている。そして、前記遊技領域に打ち出されたパチンコ球が前記始動入賞装置に入賞することにより、前記図柄表示装置で図柄変動ゲームに伴うリーチ演出等の各種演出がなされ、該図柄表示装置に所定の組合わせで図柄が停止した場合に、遊技者に有利な所謂大当りが発生するようになっている。そして、大当りの発生時には、前記始動入賞装置の下方に配設された特別入賞装置が開放して、遊技者が多数のパチンコ球を獲得し得る機会が得られるようになっている。また、前記パチンコ機前面や遊技盤には、図柄変動ゲーム等に合わせて発光して演出する発光装置等が配設されており、遊技の興趣を高めるよう構成される。
【０００３】
一方で、パチンコ機の裏側には、前記入賞装置に入賞したパチンコ球を機外へ排出案内する球通路を形成した裏樋部材や、パチンコ機全体を制御するメイン制御装置や、発光演出を制御するランプ制御装置、パチンコ球の払出しを制御する払出制御装置、その他の多数の制御装置が備えられている。そして、前記裏樋部材に配設した中継基板のコネクタ差込口に対して、パチンコ機に配設された遊技演出用の各種装置からの配線のコネクタや、対応の制御装置からの配線のコネクタを接続することで、所定の制御条件に従って遊技演出を行ない得るよう構成されている(例えば特許文献１)。
【特許文献１】特開２００２−３５３７６号公報
【発明の開示】
【発明が解決しようとする課題】
【０００４】
ところで、近年のパチンコ機では、演出内容の複雑化、多様化を図ることを目的として、パチンコ機に取り付けられる遊技演出用の装置も増加する傾向が強く、前記中継基板に設けられるコネクタ差込口の数も増大している。このため、作業者の勘違い等により中継基板のコネクタ差込口に対して接続不能なコネクタの接続が試みられたりして、コネクタ差込口のピンの変形等の損傷を来たす頻度が増大する傾向にある。このようなコネクタ差込口の損傷が生ずると中継基板全体を交換しなければならず、コスト増大や廃棄物の増加に繋がる欠点を内在している。
【０００５】
また、中継基板の交換に際しては、既に接続したコネクタをコネクタ差込口から取り外し、その後に全てのコネクタを改めて接続する必要が生ずることから、コネクタの接続作業が煩雑になる問題を有していた。このため、一旦パチンコ機に取り付けられた中継基板を簡単に取り外すことができ、また取り付けに際しても簡単な作業で行ない得ること望まれている。また、前記中継基板は、前述のようにパチンコ機に設けられる遊技演出用の装置と対応の制御装置とを中継接続するものであるから、パチンコ機に設けられる遊技演出用の装置の数が同じであれば、基本的には異なる機種のパチンコ機に対しても再利用可能な部品であり、資源の有効活用や廃棄物削減と云った観点からも、該中継基板を容易に再利用可能な構造が強く求められている。
【０００６】
そこで、本発明は、中継基板を簡単に着脱し得ると共に、交換時の配線接続作業負担を軽減し得る遊技機を提供することを目的とする。
【課題を解決するための手段】
【０００７】
前記課題を克服し、所期の目的を好適に達成するため、本発明に係る遊技機は、
遊技領域(10b)を画成した遊技盤(10)の前面には、普通図柄表示装置(28)、特別図柄表示装置(26)、入賞装置(16,18,21,30)を含む遊技必須装置と、発光演出用の発光装置(22)および演出可動装置(24)の内の少なくとも何れか一方を含む遊技演出装置とが配設され、前記遊技盤(10)の裏面には、前記入賞装置(16,18,21,30)に入賞した遊技球を排出する排出通路(52)を形成した裏樋部材(50)が配設されると共に、機裏側には、前記遊技必須装置を電気的に接続するメイン制御装置(33)と前記遊技演出装置を電気的に接続するサブ制御装置(35)とが配設された遊技機において、
前記遊技必須装置に接続した配線のコネクタおよび前記メイン制御装置(33)に接続した配線のコネクタの夫々が着脱可能に接続される遊技用中継基板(40)と、
前記遊技演出装置に接続した配線のコネクタおよび前記サブ制御装置(35)に接続した配線のコネクタの夫々が着脱可能に接続される演出用中継基板(42)と、
前記裏樋部材(50)に形成され、前記遊技用中継基板(40)および演出用中継基板(42)を隣接した状態で着脱可能に保持する基板設置部(54)とを備えると共に、
前記基板設置部(54)は、
前記遊技用中継基板(40)における前記演出用中継基板(42)から離間する外側端部を挿脱可能に差込み可能な第１差込み部(59)と、
前記演出用中継基板(42)における前記遊技用中継基板(40)から離間する外側端部を挿脱可能に差込み可能な第２差込み部(69)と、
隣接する前記遊技用中継基板(40)および演出用中継基板(42)の間に弾性変形可能に形成され、前記第１差込み部(59)に差込んだ遊技用中継基板(40)の内側端部に係脱可能に係合し、弾性変形により係合解除される第１固定部(63)と、
隣接する前記遊技用中継基板(40)および演出用中継基板(42)の間に前記第１固定部(63)と並ぶ位置に弾性変形可能に形成され、前記第２差込み部(69)に差込んだ演出用中継基板(42)の内側端部に係脱可能に係合し、弾性変形により係合解除される第２固定部(73)とを設けたことを要旨とする。
【０００８】
このように、遊技機に設置される遊技演出用の装置の内、メイン制御装置に電気的に接続される遊技必須装置を遊技用中継基板に中継接続し、サブ制御装置に電気的に接続される遊技演出装置を演出用中継基板に中継接続するよう構成したことで、中継基板に損傷が生じた際には、損傷した中継基板のみを交換することができ、中継基板の交換コストを低減し得ると共に廃棄物の削減を図り得る。また、損傷していない中継基板については、配線接続のやり直しを強いられることはなく、基板交換時の配線接続作業の負担の軽減が図られる。更に、中継基板を、遊技用中継基板と演出用中継基板とに分けたことで、機種の異なる遊技機であっても必要とされる遊技必須装置を中継接続する遊技用中継基板については少なくとも再利用でき、コストや廃棄物の削減を効果的に図り得る。
【０００９】
また、基板設置部に設置した遊技用中継基板と演出用中継基板は、対応の第１固定部および第２固定部を弾性変形させるだけで着脱することができるから、該中継基板の着脱交換を容易に行なうことができる。更に、前記第１固定部および第２固定部の夫々を、遊技用中継基板および演出用中継基板の間に設けることで、１箇所での作業で遊技用中継基板および演出用中継基板を着脱することができ、着脱交換の作業性が向上する。また、前記第１固定部および第２固定部を、遊技用中継基板および演出用中継基板の間に並んで形成することで、該遊技用中継基板および演出用中継基板の設置スペースを必要最小限にできる。
【００１０】
請求項２に係る発明は、前記遊技用中継基板(40)および演出用中継基板(42)には係合孔(40b,42b)が形成され、前記基板設置部(54)には、前記遊技用中継基板(40)および演出用中継基板(42)の係合孔(40b,42b)に挿入される位置決め突部(64,74)が形成されることを要旨とする。
【００１１】
このように、前記基板設置部に形成した位置決め突部を、前記遊技用中継基板および演出用中継基板に形成した係合孔に挿入することで、該遊技用中継基板および演出用中継基板の位置ズレを防止できる。
【発明の効果】
【００１２】
すなわち、本発明に係る遊技機によれば、中継基板を簡単に着脱し得ると共に、交換時の配線接続作業負担を軽減し得る。
【発明を実施するための最良の形態】
【００１３】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」・「後」とは、特に断りのない限り、図１に示すようにパチンコ機に設置した遊技盤を正面側(遊技者側)から見た状態を基準として、遊技者側を前方と指称し、遊技盤の裏側を後方と指称するものとする。
【実施例】
【００１４】
実施例に係るパチンコ機の遊技盤１０には、図１に示すように、略円形状に湾曲形成したレール１０ａにより画成された遊技領域１０ｂ内に、各種の図柄を変動・停止表示して図柄変動ゲームを行なう液晶式やドラム式等の図柄変動表示装置１２を備えたセンター役物とも称される装飾部材１４が配設されている。また、前記遊技盤１０における図柄変動表示装置１２の下方位置には、パチンコ球の入賞により前記図柄変動表示装置１２において図柄変動ゲームを行なわせる始動入賞装置１６、所謂大当り遊技の発生時にパチンコ球が入賞可能で、パチンコ球の入賞により所定数のパチンコ球を賞球として払い出させる第１の特別入賞装置１８等の多数の電気部品が設けられている。また、前記遊技盤１０には、前記遊技領域１０ｂを流下するパチンコ球の通過により普通図柄表示装置２８(後述)での図柄変動を開始させる普通図柄変動用ゲート２０が設けられていると共に、パチンコ球の入賞により所定数の賞球を払出させる一般入賞装置２１が設けられている。
【００１５】
なお、実施例の始動入賞装置１６は、上方に開口する入賞口(図示せず)を上下に離間する位置に備えると共に、下方の入賞口を挟む左右両側に開閉羽根１７,１７が設けられた可変式入賞装置であって、ソレノイド１７ａ(図２参照)を励磁することで開閉羽根１７,１７が拡開して下方の入賞口へのパチンコ球の入賞領域を拡大し得るよう構成されている。また、前記第１の特別入賞装置１８は、前方へ開口する入賞口を、前方へ揺動可能な開閉扉１９で開閉可能に閉成するよう構成され、ソレノイド１９ａの励磁により該開閉扉１９を開放動作させることで入賞口にパチンコ球が入賞し得るようになっている。なお、前記始動入賞装置１６、第１の特別入賞装置１８および一般入賞装置２１には、入賞したパチンコ球を１個ずつ検知し得る球検知スイッチ１６ａ,１８ａ,２１ａが設けてある。
【００１６】
図１に示すように、前記装飾部材１４は、前記図柄変動表示装置１２を後方から臨ませる窓口１４ａが前後に開口した枠状に形成されて、該装飾部材１４の枠部に、図柄変動表示装置１２での図柄変動ゲームに合わせて点灯・点滅する発光装置２２や、可動体２４ａを機械的に動作する演出可動装置２４が配設されている。また、前記装飾部材１４の右下部には、前記始動入賞装置１６へのパチンコ球の入賞により変動表示する特別図柄表示装置２６が設けられると共に、前記普通図柄変動用ゲート２０に設けた球検知スイッチ２０ａがパチンコ球を検知することで変動開始する普通図柄表示装置２８が配設されている。なお、実施例における特別図柄表示装置２６は、６枚の花弁を模した表示部であって、後述するメイン制御装置３３からの制御信号により、特別図柄表示装置２６の表示と前記図柄変動表示装置１２の図柄変動ゲームとが連動するよう構成され、始動入賞装置１６へのパチンコ球の入賞により各花弁が所定のパターンで点灯・消灯するようになっている。また、実施例に係る普通図柄表示装置２８は、「○」、「×」を表示した表示部であって、普通図柄変動用ゲート２０をパチンコ球が通過することにより「○」、「×」表示が交互に点灯して、最終的に「○」が点灯した場合に前記始動入賞装置１６の開閉羽根１７,１７が開放するよう構成される。
【００１７】
なお、前記装飾部材１４の上部位置には、所謂大当り遊技の発生時にパチンコ球が入賞可能で、パチンコ球の入賞により所定数のパチンコ球を賞球として払い出させる第２の特別入賞装置３０が設けられている。この第２の特別入賞装置３０は、左方に開口する入賞口を、揺動可能な開閉羽根３１で開閉可能に閉成するよう構成され、ソレノイド３１ａ(図２参照)の励磁により該開閉羽根３１を開放動作させることで入賞口にパチンコ球が入賞し得るようになっている。なお、前記第２の特別入賞装置３０にも、入賞したパチンコ球を１個ずつ検知し得る球検知スイッチ３０ａが設けてある。
【００１８】
前記遊技盤１０に配設された各種電気部品(図柄変動表示装置１２、始動入賞装置１６、第１および第２の特別入賞装置１８,３０、特別図柄表示装置２６、一般入賞装置２１、普通図柄表示装置２８、普通図柄変動用ゲート２０、発光装置２２、演出可動装置２４の夫々は、パチンコ機の裏側に配設された各種制御装置３３,３５,３７の制御に基づいて作動制御される。ここで、実施例では、前記制御装置として、図２に示すように、パチンコ機全体を制御するメイン制御装置３３や、該メイン制御装置３３に接続される統括制御装置(サブ制御装置)３５、前記図柄変動表示装置１２での表示制御を行なう表示制御装置３７、その他各種制御装置(図示せず)を設けてある。
【００１９】
ここで、実施例では、図２に示すように、前記始動入賞装置１６のソレノイド１７ａ、第１および第２の特別入賞装置１８,３０の球検知スイッチ１８ａ,３０ａおよびソレノイド１９ａ,３１ａ、一般入賞装置２１の球検知スイッチ２１ａ、特別図柄表示装置２６、普通図柄表示装置２８、普通図柄変動用ゲート２０の球検知スイッチ２０ａの夫々は、前記メイン制御装置３３に対して遊技用中継基板４０を介して電気的に接続されている。但し、前記始動入賞装置１６の球検知スイッチ１６ａは、メイン制御装置３３に対して直接配線接続される。一方、前記発光装置２２および演出可動装置２４の夫々は、前記統括制御装置３５に対して演出用中継基板４２を介して電気的に接続される。なお、以下の説明においては、前記遊技用中継基板４０を介してメイン制御装置３３に接続される各電気部品を総称して遊技必須装置と指称し、前記演出用中継基板４２を介して統括制御装置３５に接続される各電気部品を総称して遊技演出装置と指称するものとする。
【００２０】
また、遊技盤１０の裏面には、前記図柄変動表示装置１２を着脱可能な枠状の裏樋部材５０が設けられており、該裏樋部材５０の開口部および装飾部材１４の窓口１４ａを介して、図柄変動表示装置１２が遊技盤１０の前面に臨むよう構成されている。この裏樋部材５０には、前記第２の特別入賞装置３０の入賞口に入賞したパチンコ球や、前記一般入賞装置２１の入賞口に入賞したパチンコ球を、機外に排出案内する排出通路５２が形成されると共に、前記図柄変動表示装置１２の後方を覆蓋保護する裏カバー部材(図示せず)が開閉可能に組み付けられている。
【００２１】
また、前記裏樋部材５０の下部位置には、前記遊技必須装置とメイン制御装置３３とを中継接続する前記遊技用中継基板４０、および前記遊技演出装置と統括制御装置３５とを中継接続する演出用中継基板４２を隣接した状態で着脱可能に保持する基板設置部５４が形成されている。なお、以下の説明において、「左」・「右」とは、遊技盤１０を裏側から見た状態を基準として指称するものとし、遊技者側を前方と指称し、遊技盤１０の裏側を後方と指称するものとする。すなわち、実施例に係る基板設置部５４では、前記遊技用中継基板４０が右側に位置し、前記演出用中継基板４２が左側に位置する。また、前記遊技用中継基板４０および演出用中継基板４２において、コネクタ差込口４０ａ,４２ａが設けられた面を表面と指称し、反対側の面を裏面と指称する。
【００２２】
前記基板設置部５４は、図４または図５に示すように、前記遊技用中継基板４０を設置する第１設置部５６と、前記演出用中継基板４２を設置する第２設置部６６とから構成される。前記第１設置部５６は、前記遊技用中継基板４０が対向する対向面５７から、該遊技用中継基板４０の上下の端部および左端部に沿って後方へ突出する支持壁５８と、遊技用中継基板４０の右端部(演出用中継基板４２から離間する外側端部)を挿脱可能に差込み可能な第１差込み部５９と、第１差込み部５９に差込んだ遊技用中継基板４０の左端部(内側端部)に係脱可能に係合する第１弾性フック(第１固定部)６３とを備えている。前記第１差込み部５９は、前記遊技用中継基板４０の上端部の外側(上方)に位置する上隔壁５９ａと、遊技用中継基板４０の下端縁の外側(下方)に位置する下隔壁５９ｂと、上下の隔壁５９ａ,５９ｂを連結する右隔壁５９ｃと、該右隔壁５９ｃの後端部に上下に離間して形成され、左方(第２設置部６６側)に突出する突出片６２とから構成されている。
【００２３】
そして、前記第１差込み部５９(上下および右隔壁５９ａ,５９ｂ,５９ｃと前記突出片６２との間)に、前記遊技用中継基板４０の右端部を挿入した状態で、該遊技用中継基板４０の裏面を支持壁５８に当接した際に、該突出片６２が遊技用中継基板４０の表面に当接するようになっている。また、前記第１差込み部５９に差込んだ遊技用中継基板４０を支持壁５８に近接移動する途中で、該遊技用中継基板４０の左端部が前記第１弾性フック６３の爪部６３ａに接触するよう構成される。そして、第１弾性フック６３の爪部６３ａに接触した状態で遊技用中継基板４０を支持壁５８に近接移動することで第１弾性フック６３が弾性変形し、遊技用中継基板４０が支持壁５８に当接した段階で第１弾性フック６３が弾性復帰して爪部６３ａが基板表面に係合し、第１設置部５６に遊技用中継基板４０が設置(保持)されるようになっている(図６参照)。また、前記第１設置部５６には、前記支持壁５８より後方へ突出する位置決め突部６４が突設されており、第１設置部５６に遊技用中継基板４０を設置した際に、前記遊技用中継基板４０に形成した係合孔４０ｂに位置決め突部６４が挿入されるようになっている。
【００２４】
次に、第２設置部６６につき説明する。なお、前記第２設置部６６は、基本的に前記第１設置部５６を左右対称となるよう形成される。前記第２設置部６６は、前記演出用中継基板４２が対向する対向面６７から、該演出用中継基板４２の上下の端部および左端部に沿って後方へ突出する支持壁６８と、演出用中継基板４２の左端部(遊技用中継基板４０から離間する外側端部)を挿脱可能に差込み可能な第２差込み部６９と、第２差込み部６９に差込んだ演出用中継基板４２の右端部(内側端部)に係脱可能に係合する第２弾性フック７３(第２固定部)とを備えている。前記第２差込み部６９は、前記演出用中継基板４２の上端部の外側(上方)に位置する上隔壁６９ａと、演出用中継基板４２の下端縁の外側(下方)に位置する下隔壁６９ｂと、上下の隔壁６９ａ,６９ｂを連結する左隔壁６９ｃと、該左隔壁６９ｃの後端部に上下に離間して形成され、右方(第１設置部５６側)に突出する突出片７２とから構成されている。
【００２５】
すなわち、前述した遊技用中継基板４０と同様に、前記第２差込み部６９(上下および左隔壁６９ａ,６９ｂ,６９ｃと前記突出片７２との間)に、前記演出用中継基板４２の左端部を挿入した状態で、該演出用中継基板４２の裏面を支持壁６８に当接した際に、該突出片７２が演出用中継基板４２の表面に当接するようになっている。また、前記第２差込み部６９に差込んだ演出用中継基板４２を支持壁６８に近接移動する途中で、該演出用中継基板４２の右端部が前記第２弾性フック７３の爪部７３ａに接触するよう構成される。そして、第２弾性フック７３の爪部７３ａに接触した状態で演出用中継基板４２を支持壁６８に近接移動することで第２弾性フック７３が弾性変形し、演出用中継基板４２が支持壁６８に当接した段階で第２弾性フック７３が弾性復帰して爪部７３ａが基板表面に係合し、第２設置部６６に演出用中継基板４２が設置(保持)されるようになっている(図６参照)。また、前記第２設置部６６には、前記支持壁６８より後方へ突出する位置決め突部７４が突設されており、第２設置部６６に演出用中継基板４２を設置した際に、前記演出用中継基板４２に形成した係合孔４２ｂに位置決め突部７４が挿入されるようになっている。
【００２６】
ここで、図４または図５に示すように、前記第１弾性フック６３および第２弾性フック７３は、前記基板設置部５４において上下に離間する位置に形成されており、該第１弾性フック６３および第２弾性フック７３の弾性変形時に、相互に干渉しないよう構成されている。また、前記第１設置部５６および第２設置部６６に対応の基板を設置した状態で、第１弾性フック６３および第２弾性フック７３の弾性変形時に反対側の基板に接触しない位置関係となるよう該第１設置部５６および第２設置部６６が近接して形成されている。すなわち、前記第１弾性フック６３の弾性変形時には、第２弾性フック７３および演出用中継基板４２の夫々に第１弾性フック６３が干渉することはなく、また第２弾性フック７３の弾性変形時には、第１弾性フック６３および遊技用中継基板４０の夫々に第２弾性フック７３が干渉しないようになっている。
【００２７】
また、図４に示すように、前記裏樋部材５０には、前記第１設置部５６および第２設置部６６の上方位置に、前記遊技用中継基板４０および演出用中継基板４２に接続される配線を係止保持する配線押え部７８が上方へ向けて突出形成されている。
【００２８】
〔実施例の作用〕
次に、前述のように構成された実施例に係るパチンコ機の作用につき説明する。
【００２９】
実施例に係るパチンコ機の遊技盤１０に設置される各種電気部品の内で遊技必須装置(始動入賞装置１６のソレノイド１７ａ、第１および第２の特別入賞装置１８,３０の球検知スイッチ１８ａ,３０ａおよびソレノイド１９ａ,３１ａ、一般入賞装置２１の球検知スイッチ２１ａ、特別図柄表示装置２６、普通図柄表示装置２８、普通図柄変動用ゲート２０の球検知スイッチ２０ａ)は、遊技盤１０の裏側に設けた遊技用中継基板４０に配線接続されると共に、遊技演出装置(発光装置２２および演出可動装置２４)は、遊技盤１０の裏側に設けた遊技用中継基板４０に配線接続される。このように、遊技盤１０に設置される各種電気部品を、遊技用中継基板４０と演出用中継基板４２とに分けて接続するよう構成したから、前記遊技用中継基板４０や演出用中継基板４２の何れかに損傷が生じた際には、損傷した基板４０,４２のみを交換することができ、基板４０,４２の交換コストを低減し得ると共に廃棄物の削減を図り得る。また、損傷していない基板４０,４２はそのまま利用できるから、配線接続のやり直しを強いられることはなく、基板交換時の配線接続作業の負担の軽減が図られる。
【００３０】
また、前記遊技用中継基板４０に配線接続される遊技必須装置は、パチンコ機として機能するために必要とされる装置であり、一般に、機種が異なるパチンコ機であっても遊技必須装置に対応する各装置(始動入賞装置１６,特別入賞装置１８,３０,普通図柄変動用ゲート２０,一般入賞装置２１,特別図柄表示装置２６,普通図柄表示装置２８)が設けられることから、該遊技用中継基板４０を異なるパチンコ機で共通して利用することができる。一方で、前記演出用中継基板４２に配線接続される遊技演出装置は、パチンコ機の演出に応じて変更または増減される装置であり、機種が異なるパチンコ機では必ずしも対応する共通して利用し得るものではない。すなわち、パチンコ機に設ける中継基板を、遊技必須装置が配線接続される遊技用中継基板４０と、遊技演出装置が配線接続される演出用中継基板４２とに分けることで、機種の異なるパチンコ機であっても遊技用中継基板４０については少なくとも再利用することができるから、製造コストや廃棄物の削減を効果的に図り得る。
【００３１】
また、前記基板設置部５４における第１設置部５６への前記遊技用中継基板４０の設置は、該第１設置部５６の第１差込み部５９(上下および右隔壁５９ａ,５９ｂ,５９ｃと該右壁部５９ｃの突出片６２との間)に遊技用中継基板４０の右端部を挿入した状態で、該遊技用中継基板４０を支持壁５８に近接移動し、該遊技用中継基板４０の左端部に第１弾性フック６３を弾性作用下に係合させることで行なわれる。また、前記第１設置部５６からの遊技用中継基板４０の取り外しは、前記第１弾性フック６３を弾性変形して遊技用中継基板４０の左端部との係合を解除し、該基板４０の左端部を第１設置部５６から離間するよう移動することで行なわれる。同様に、前記基板設置部５４における第２設置部６６への前記演出用中継基板４２の設置は、該第２設置部６６の第２差込み部６９(上下および左隔壁６９ａ,６９ｂ,６９ｃと該左壁部６９ｃの突出片７２との間)に演出用中継基板４２の左端部を挿入した状態で、該演出用中継基板４２を支持壁６８に近接移動し、該演出用中継基板４２の右端部に第２弾性フック７３を弾性作用下に係合させることで行なうことができる。また、前記第２設置部６６からの演出用中継基板４２の取り外しは、前記第２弾性フック７３を弾性変形して演出用中継基板４２の右端部との係合を解除し、該基板４２の右端部を第２設置部６６から離間するよう移動することで行なわれる。このように、前記基板設置部５４に設置した遊技用中継基板４０と演出用中継基板４２は、対応の第１弾性フック６３および第２弾性フック７３を弾性変形させるだけで着脱することができるから、ネジ止めする場合のように工具を用いる必要がなく、基板４０,４２の着脱交換を容易に行なうことができる。
【００３２】
また、前記第１弾性フック６３および第２弾性フック７３の夫々は、遊技用中継基板４０(第１設置部５６)および演出用中継基板４２(第２設置部６６)での間に上下に並んで設けたから、遊技用中継基板４０および演出用中継基板４２を１箇所の作業で着脱することができ、着脱交換の作業性が向上する。更に、前記第１弾性フック６３および第２弾性フック７３を、遊技用中継基板４０および演出用中継基板４２の間に上下に離間するよう形成したことで、前記第１設置部５６および第２設置部６６の夫々をできる限り近接する位置に設けることができ、該遊技用中継基板４０および演出用中継基板４２の設置スペースを必要最小限にできる。
【００３３】
また、前記基板設置部５４(第１設置部５６および第２設置部６６)に前記遊技用中継基板４０および演出用中継基板４２を設置した際には、該基板設置部５４に形成した位置決め突部６４,７４が、遊技用中継基板４０および演出用中継基板４２に形成した係合孔４０ｂ,４２ｂに挿入される。従って、前記基板設置部５４(第１設置部５６および第２設置部６６)に設置した遊技用中継基板４０や演出用中継基板４２が上下方向に位置ズレするのは防止され、遊技用中継基板４０や演出用中継基板４２を所定位置に保持できる。また、前記裏樋部材５０に配線押え部７８を形成したことで、前記遊技用中継基板４０や演出用中継基板４２に接続する各配線を一定位置に保持することができ、配線の絡まりや挟み込み等を効果的に防止でき、配線接続作業を容易に行ない得る利点がある。
【００３４】
〔変更例〕
なお、本発明に係る遊技機は、実施例のものに限られるものではなく、種々の変更が可能である。例えば、実施例では、遊技盤に設けられた始動入賞装置のソレノイド、第１および第２の特別入賞装置の球検知スイッチおよびソレノイド、一般入賞装置の球検知スイッチ、特別図柄表示装置、普通図柄表示装置、普通図柄変動用ゲートの球検知スイッチを遊技必須装置とし、遊技用中継基板を介してメイン制御装置に電気的に接続するよう構成したが、これに限られるものではなく、メイン制御装置に電気的に接続され、機種とは関係なく共通に設けられる電気部品であれば遊技必須装置とすることができる。なお、実施例では、特別入賞装置を２つ設けたが、特別入賞装置を１つ設ける構成であってもよい。
【００３５】
実施例では、発光装置および演出可動装置を遊技演出装置とし、演出用中継基板を介して統括制御装置に電気的に接続するよう構成したが、これに限られるものではなく、統括制御装置に接続され、機種毎の演出態様に応じて設置される電気部品であれば遊技演出装置とすることが可能である。また、実施例では、統括制御装置をサブ制御装置としたが、これに限られるものではない。
【００３６】
実施例では、基板設置部を裏樋部材の下部に設けるよう構成したが、これに限られるものではなく、裏樋部材の左右側部や上部位置に基板設置部を設けることも可能である。また、基板設置部では、遊技用中継基板を設置する第１設置部と、演出用中継基板を設置する第２設置部とを左右に配置する構成に限定されるものではなく、該第１設置部および第２設置部を上下に配置するようにしてもよい。この場合には、第１固定部および第２固定部は、左右に並んだ位置に形成される。
【００３７】
また、本発明を実施する遊技機としては、パチンコ機に限られるものではなく、スロットマシン機やアレンジボール機等であってもよく、機裏側に設けた基板設置部に遊技用中継基板と演出用中継基板とを隣接状態で着脱自在に配設するよう構成したものであれば何れの遊技機でもよい。
【図面の簡単な説明】
【００３８】
【図１】本発明の実施例に係るパチンコ機の遊技盤を示す正面図である。
【図２】実施例に係る各種電気部品の電気的な接続関係を示すブロック図である。
【図３】実施例に係る裏樋部材を示す正面図である。
【図４】実施例に係る裏樋部材を示す背面図であって、基板設置部を拡大して示す。
【図５】実施例に係る裏樋部材を背面から見た状態で示す斜視図であって、基板設置部を拡大して示す。
【図６】実施例に係る基板設置部の第１設置部および第２設置部に対する遊技用中継基板および演出用中継基板の設置状態を示す説明図であって、(a)は各中継基板を対応する設置部の差込み部に差込んだ状態を示し、(b)は各中継基板を設置部に保持した状態を示す。
【符号の説明】
【００３９】
１０  遊技盤
１０ｂ  遊技領域
１６  始動入賞装置
１８  第１の特別入賞装置
２１  一般入賞装置
２２  発光装置
２４  演出可動装置
２６  特別図柄表示装置
２８  普通図柄表示装置
３０  第２の特別入賞装置
３３  メイン制御装置
３５  統括制御装置
４０  遊技用中継基板
４０ｂ  係合孔
４２  演出用中継基板
４２ｂ  係合孔
５０  裏樋部材
５２  排出通路
５４  基板設置部
５９  第１差込み部
６３  第１弾性フック(第１固定部)
６４  位置決め突部
６９  第２差込み部
７３  第２弾性フック(第２固定部)
７４  位置決め突部
【図１】
2009011679.tif 000003
【図２】
2009011679.tif 000004
【図３】
2009011679.tif 000005
【図４】
2009011679.tif 000006
【図５】
2009011679.tif 000007
【図６】
2009011679.tif 000008